【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
複数の画素と、複数の電気信号供給部とを有する光電変換装置であって、
前記複数の画素の各々は、
信号電荷を生成する光電変換部と、
前記信号電荷に基づく信号をデジタル信号に変換するアナログデジタル変換部と、
を有し、
前記複数の電気信号供給部の一つの電気信号供給部と、一の画素の前記アナログデジタル変換部とが電気的に接続され、
前記複数の電気信号供給部の別の電気信号供給部と、別の画素の前記アナログデジタル変換部とが電気的に接続されることを特徴とする光電変換装置。
【請求項２】
前記複数の画素は行列状に配され、
前記一の電気信号供給部と、前記一の画素の前記アナログデジタル変換部とが電気的に接続され、
前記複数の電気信号供給部の前記別の電気信号供給部と、前記一の画素の別の行と別の列の少なくともいずれかに配された画素の前記アナログデジタル変換部とが電気的に接続されることを特徴とする請求項１に記載の光電変換装置。
【請求項３】
前記複数の電気信号供給部の各々が時間に依存して信号値が変化するランプ信号を生成するランプ信号生成部を有し、
前記複数の画素の各々の前記アナログデジタル変換部は、前記信号電荷に基づく前記信号と、前記ランプ信号とを比較して比較結果信号を出力する比較器を有し、
前記一の電気信号供給部の前記ランプ信号生成部と、前記一の画素の前記比較器とが電気的に接続され、
前記別の電気信号供給部の前記ランプ信号生成部と、前記別の画素の前記比較器とが電気的に接続されることを特徴とする請求項１または２に記載の光電変換装置。
【請求項４】
前記ランプ信号生成部が前記ランプ信号を出力する積分回路を有することを特徴とする請求項３に記載の光電変換装置。
【請求項５】
前記複数の画素の各々が有する前記アナログデジタル変換部が、第１の端子に、前記第１の端子の電位の基準となる基準信号と、前記信号電荷に基づく前記信号とが入力され、第２の端子に時間に依存して信号値が変化するランプ信号が入力されるとともに、前記信号と前記ランプ信号とを比較して比較結果信号を出力する比較器を有し、
前記複数の電気信号供給部の各々が、前記基準信号を生成する基準信号生成部であって、
前記一の電気信号供給部の前記基準信号生成部と、前記一の画素の前記比較器の前記第１の端子とが電気的に接続され、
前記別の電気信号供給部の前記基準信号生成部と、前記別の画素の前記比較器の前記第１の端子とが電気的に接続されることを特徴とする請求項１または２に記載の光電変換装置。
【請求項６】
前記複数の電気信号供給部の各々が、前記ランプ信号を生成するランプ信号生成部をさらに有し、
前記一の電気信号供給部の前記ランプ信号生成部と、前記一の画素の前記比較器の前記第２の端子とが電気的に接続され、
前記別の電気信号供給部の前記ランプ信号生成部と、前記別の画素の前記比較器の前記第２の端子とが電気的に接続されることを特徴とする請求項５に記載の光電変換装置。
【請求項７】
前記アナログデジタル変換部が逐次比較型のアナログデジタル変換部であって、
前記電気信号供給部が、前記アナログデジタル変換部が前記信号電荷に基づく信号との逐次比較に用いる基準信号を生成する基準信号生成部を有し、
前記一の電気信号供給部の前記基準信号生成部と、前記一の画素の前記アナログデジタル変換部とが電気的に接続され、
前記別の電気信号供給部の前記基準信号生成部と、前記別の画素の前記アナログデジタル変換部とが電気的に接続されることを特徴とする請求項１または２に記載の光電変換装置。
【請求項８】
前記アナログデジタル変換部は積分回路を有し、
前記一の電気信号供給部と、前記一の画素の前記積分回路とが電気的に接続され、
前記別の前記電気信号供給部と、前記別の画素の前記積分回路とが電気的に接続されることを特徴とする請求項１または２に記載の光電変換装置。
【請求項９】
前記複数の画素は一の半導体基板に設けられ、
前記電気信号供給部が前記一の半導体基板の外部に設けられていることを特徴とする請求項１〜８のいずれかに記載の光電変換装置。
【請求項１０】
複数の画素と、電気信号を供給する複数の電気信号供給部とを有する光電変換装置の駆動方法であって、
前記複数の画素の各々は、
信号電荷を生成する光電変換部と、
前記信号電荷に基づく信号をデジタル信号に変換するアナログデジタル変換部と、
を有し、
前記複数の電気信号供給部の一の電気信号供給部から、一の画素の前記アナログデジタル変換部に前記電気信号が供給され、
前記複数の電気信号供給部の別の前記電気信号供給部から、別の画素の前記アナログデジタル変換部に前記電気信号が供給されることを特徴とする光電変換装置の駆動方法。
【請求項１１】
前記電気信号供給部が時間に依存して信号値が変化するランプ信号を生成するランプ信号生成部を有し、
前記アナログデジタル変換部が、前記信号電荷に基づく前記信号と、前記ランプ信号とを比較して比較結果信号を出力する比較器を有し、
前記一の電気信号供給部の前記ランプ信号生成部から、前記一の画素の前記比較器に前記ランプ信号が供給され、
前記別の電気信号供給部の前記ランプ信号生成部から、前記別の画素の前記比較器に前記ランプ信号が供給されることを特徴とする請求項１０に記載の光電変換装置の駆動方法。
【請求項１２】
前記アナログデジタル変換部が、第１の端子に、前記第１の端子の電位の基準となる基準信号と、前記信号電荷に基づく前記信号とが入力され、第２の端子に時間に依存して信号値が変化するランプ信号が入力されるとともに、前記信号と前記ランプ信号とを比較して比較結果信号を出力する比較器を有し、
前記電気信号供給部が、前記基準信号を生成する基準信号生成部を有し、
前記一の電気信号供給部の前記基準信号生成部から、前記一の画素の前記比較器の前記第１の端子に前記基準信号が供給され、
前記別の電気信号供給部の前記基準信号生成部から、前記別の画素の前記比較器の前記第１の端子に前記基準信号が供給されることを特徴とする請求項１０に記載の光電変換装置の駆動方法。
【請求項１３】
前記アナログデジタル変換部が逐次比較型のアナログデジタル変換部であって、
前記電気信号供給部が、前記アナログデジタル変換部が前記信号電荷に基づく信号との逐次比較に用いる基準信号を生成する基準信号生成部を有し、
前記一の電気信号供給部の前記基準信号生成部が、前記一の画素の前記アナログデジタル変換部に前記基準信号を供給し、
前記別の電気信号供給部の前記基準信号生成部が、前記別の画素の前記アナログデジタル変換部に前記基準信号を供給することを特徴とする請求項１０に記載の光電変換装置の駆動方法。
【請求項１４】
前記アナログデジタル変換部は積分回路を有し、
前記一の前記電気信号供給部が、前記一の画素の前記積分回路に電気信号を供給し、
前記別の電気信号供給部が、前記別の画素の前記積分回路に電気信号を供給することを特徴とする請求項１０に記載の光電変換装置。
【手続補正２】
【補正対象書類名】明細書
【補正対象項目名】０００５
【補正方法】変更
【補正の内容】
【０００５】
本発明は上記の課題を鑑みて為されたものであり、一の態様は、複数の画素と、複数の電気信号供給部とを有する光電変換装置であって、前記複数の画素の各々は、信号電荷を生成する光電変換部と、前記信号電荷に基づく信号をデジタル信号に変換するアナログデジタル変換部と、を有し、前記複数の電気信号供給部の一つの電気信号供給部と、一の画素の前記アナログデジタル変換部とが電気的に接続され、
前記複数の電気信号供給部の別の電気信号供給部と、別の画素の前記アナログデジタル変換部とが電気的に接続されることを特徴とする光電変換装置である。
また、一の態様は、複数の画素と、電気信号を供給する複数の電気信号供給部とを有する光電変換装置の駆動方法であって、前記複数の画素の各々は、信号電荷を生成する光電変換部と、前記信号電荷に基づく信号をデジタル信号に変換するアナログデジタル変換部と、を有し、前記複数の電気信号供給部の一の電気信号供給部から、一の画素の前記アナログデジタル変換部に前記電気信号が供給され、前記複数の電気信号供給部の別の前記電気信号供給部から、別の画素の前記アナログデジタル変換部に前記電気信号が供給されることを特徴とする光電変換装置の駆動方法である。